(57)【要約】      （修正有）【課題】室内飼いのペットの熱中症予防の為に、凍らせた冷却タンクの下部にペットの休息場所を設けた冷気下降式ペット用冷房装置を提供する。【解決手段】ペット用冷房装置は、台座ａ、冷却タンクｂ、結露受け皿ｃより成る。通常ペットが休む場所の上空に、冷却タンクｂが来るよう台座ａを設置する。そして、冷蔵庫などで冷凍した冷却タンクｂを台座ａの上にセットすることで、冷却タンクから発生する冷気が下降して、下にいるペットが快適な温度を得られる仕組みとする。さらに、台座ａは、前面部と後背部の脚の長さに差をつけ、台座ａの冷却タンクｂを置く部分に傾斜を形成する。傾斜があることにより、冷却タンクｂで発生する結露は、結露受け皿ｃに流れ込む仕組みになっている。結露受け皿は、引き出し式になっており、後背部より引き出して取り、溜まった結露を捨てることができる。【選択図】図１
0003164716.tif 000002
【実用新案登録請求の範囲】
【請求項１】
本考案は、内部に水などの冷凍できる材質のものを収容した冷却タンクと、冷却タンクを中空に固定させる台座と、台座に備え付けた結露受け皿とから構成される、ペット用冷房装置に関するものであり、使用方法としては、事前に凍らせた冷却タンクを台座に設置することで、冷却タンクから発生する冷気が下降し、台座の下の空気を冷却し、そこで休むペットの快適温度を得ることができると同時に、発生する結露を結露受け皿が収容することで、ペットが快適に休息できることを目的とした、ペット用冷房装置に関するものである。
【考案の詳細な説明】
【技術分野】
【０００１】本考案は、内部に水などの冷凍できる材質のものを収容した冷却タンクと、冷却タンクを中空に固定させる台座と、台座に備え付けた結露受け皿とから構成される、ペット用冷房装置に関するものであり、使用方法としては、事前に凍らせた冷却タンクを台座に設置することで、冷却タンクから発生する冷気が下降し、台座の下の空気を冷却し、そこで休むペットの快適温度を得ることができると同時に、発生する結露を結露受け皿が収容することで、ペットが快適に休息できることを目的とした、ペット用冷房装置に関するものである。
【背景技術】
【０００２】従来は、ペットが休む寝所の下に敷く冷却マットなどのペット用冷却具が考案されているが、ペットが休む寝所の上に設置し、冷気が下降することにより、ペットの快適温度を得るという、冷気下降式ペット用冷房装置はなかった。
【考案の概要】
【考案が解決しようとする課題】
【０００３】室内飼いのペットは、気温の変化で体調を崩しやすい。特に夏場は熱中症の予防の為に、エアコン（エアーコンディショナー・室内の空気の温度等を調整する機械）などを利用した室温調節が必要になるが、長時間のエアコン使用は、飼い主にとって、電気使用料金などの経済的負担が大きいという問題があった。
【課題を解決するための手段】
【０００４】室内飼いのペットのみならず、屋外で飼うペットも、夏の暑さ対策は重要である。そこで、本考案は、内部に水などの冷凍できる材質のものを収容した冷却タンクと、冷却タンクを中空に固定させる台座と、台座に備え付けた結露受け皿とから構成される、ペット用冷房装置を考案し、このペット用冷房装置をペットの寝床や通常休むことの多い場所などに設置し、ペットの頭上から降り注ぐ冷気によって、ペットの快適温度を保つ目的を持つものである。【０００５】図１にあるのは、本考案のペット用冷房装置の使用例である。ａが台座、ｂが冷却タンク、ｃが結露受け皿を示している。【０００６】図１にあるように、通常ペットが休む場所の上空に、冷却タンクｂが来るよう台座ａを設置する。そして、冷蔵庫などで冷凍した冷却タンクｂを台座ａの上にセットすることで、冷却タンクから発生する冷気が下降して、下にいるペットが快適な温度を得られるという仕組みを本考案で提案している。【０００７】図３は、本考案の側面図である。そこで示すように、台座ａは、前面部と後背部の脚の長さに差があるため、台座ａの冷却タンクｂを置く部分に傾斜が生じている。傾斜があることにより、冷却タンクｂで発生する結露は、結露受け皿ｃに流れ込む仕組みになっている。傾斜の角度は、３度〜４５度の範囲が望ましい。冷却タンクｂの下に結露が流れ込みやすいように、平らなプレートを敷くことも効果があり、その際、プレート上で水が流れやすいように、プレートに筋目をつけておくと、更に効率があがる。
結露受け皿は、引き出し式になっており、後背部より引き出して取り、溜まった結露を捨てることができる。【０００８】図２は、本考案の台座ａと、冷却タンクｂを並べた平面図である。
そこで示すように、冷却タンクｂは、台座ａの上に載せて使用するが、使用前に冷却タンクを冷蔵庫などで凍らせておくことを考え、利用しやすいように小分けになり、使用できるようになっている。冷却効果を得たい時間を計算して、冷却タンクの本数を増減することもできる。
冷却タンクの中に入れる冷却剤は、水でも充分効果があるが、保冷剤やゼリー状保冷剤なども有効である。
冷却タンクに大きめの蓋を設け、中に冷蔵庫で作ったキューブ状の氷を詰め込む方法も、使い勝手が便利である。
図２に示す通り、冷却タンクｂに持ち手がついていると、持ち運びがしやすい。【０００９】図４は、本考案の台座ａにジョイント脚ｄを装着したものである。ペットの成長に合わせて、冷却タンクｂ下の空間を広められるように、ジョイント脚ｄを用いると便利である。
冷却タンク下の空間が広くなると、寝ている人間の頭を上空から冷やすこともできるようになり、介護などの現場で利用することも考えられる。
台座ａの脚に蛇腹ワイヤーなどを用いれば、伸縮自在である上に、形を広げることもできるようになり、便利である。【００１０】図５は、本考案のペット用冷房装置に保冷カバーｅをつけたものである。
図５で示すように、ペット用冷房装置を覆う保冷カバーを用いると、冷却タンクの冷気が中に滞留するので、冷却効果をより長く持続することができる。【００１１】図６は、本考案のペット用冷房装置の下に、ペット用ベッドｆを設置したものである。ペット用ベッドｆを下に設置することで、冷却タンクｂから発生する冷気が下に下降した時に、ペット用ベッドｆで受け止められ、冷気が流れ出すことを抑制するので、ペット用ベッドがない時よりも冷却効果が持続する。
また、ペット用ベッドｆがあると、ペットにとって居心地が良いため、好んでベッドの上で休むようになるので、効率的にペット用冷房装置を利用することができる。
【考案の効果】
【００１２】本考案のペット用冷房装置を使用すると、冷却タンクから発生する冷気が下降することで、台座の下の空気が冷却される。台座の下で休むペットの快適温度を得ることができると同時に、発生する結露を結露受け皿が収容することで、ペットが快適に休息できる。
ペットは、暑い時はペット用冷房装置の下で休み、寒くなったらそこから出ることができるので、ペットの健康を安全に保つことができる。
エアコンを使用しないで、ペットの快適体温を保つことができるので、電気代の負担が大幅に軽減される。
台座の上にセットする冷却タンクの氷の量が多いほど、長時間の冷房効果が得られるので、長時間家を留守にする飼い主にとって利用しやすい。
【図面の簡単な説明】
【００１３】
【図１】本考案の使用時の平面図である。
【図２】本考案の台座ａと、冷却タンクｂを並べた平面図である。
【図３】本考案の側面図である。
【図４】本考案の台座ａにジョイント脚ｄを連結した状態の平面図である。
【図５】本考案のペット用冷房装置に保冷カバーｅを取り付けた平面図である。
【図６】本考案のペット用冷房装置の下に、ペット用ベッドｆを設置した、使用状況を説明する平面図である。
【符号の説明】
【００１４】ａ  台座
ｂ  冷却タンク
ｃ  結露受け皿
ｄ  ジョイント脚
ｅ  保冷カバー
ｆ  ペット用ベッド
【図１】
0003164716.tif 000003
【図２】
0003164716.tif 000004
【図３】
0003164716.tif 000005
【図４】
0003164716.tif 000006
【図５】
0003164716.tif 000007
【図６】
0003164716.tif 000008